(57)【要約】【課題】長尺のＬＥＤ照明を分割することなく構成し、かつ、ＬＥＤ照明装置単体でも補強板等を必要としない照明装置及びこれを備えた自動販売機を提供する。【解決手段】複数の発光素子と、複数の発光素子が配設される長尺状の基板と、それぞれ異なる所定の長さで形成された複数種類のカバーと、を有し、基板の第１の面に、複数種類のカバーが所定の配列順序で装着されると共に、基板の第１の面の裏面である第２の面に複数種類のカバーが基板の第１の面での配列順序と異なる配列順序で装着される照明装置とする。【選択図】図３
2008040889.tif 000002
【特許請求の範囲】
【請求項１】
複数の発光素子と、
前記複数の発光素子が配設される長尺状の基板と、
それぞれ異なる所定の長さで形成された複数種類のカバーと、を有し、
前記基板の第１の面に、前記複数種類のカバーが所定の配列順序で装着されると共に、前記基板の第１の面の裏面である第２の面に前記複数種類のカバーが前記基板の第１の面での配列順序と異なる配列順序で装着されることを特徴とする照明装置。
【請求項２】
複数の発光素子と、
前記複数の発光素子が配設される長尺状の基板と、
所定の長さで形成された第１のカバーと、
前記第１のカバーと異なる長さで形成された第２のカバーと、を有し、
前記基板の第１の面に、前記第１のカバー及び前記第２のカバーが所定の配列順序で装着されると共に、前記基板の第１の面の裏面である第２の面に前記第１のカバー及び前記第２のカバーが、前記基板の第１の面での配列順序と異なる配列順序で装着されることを特徴とする照明装置。
【請求項３】
前記発光素子は、発光ダイオードであることを特徴とする請求項１または２に記載の照明装置。
【請求項４】
前記カバー、前記第１のカバー、または前記第２のカバーは、光透過性部材からなることを特徴とする請求項１から３のいずれか１に記載の照明装置。
【請求項５】
展示用物品を展示するための内部空間を有し、前記展示用物品に対応する販売用物品を払い出すための物品払出機構を内蔵する販売機本体と、
前記販売機本体内に配設され、前記展示用物品を照明する請求項１から４のいずれか１に記載の照明装置と、
を備えた自動販売機。
【請求項６】
前記照明装置の前記第１の照明部からの照明光を受けて物品視認者側に出射する光透過性部材からなる押釦を備えた請求項５に記載の自動販売機。
【請求項７】
前記照明装置の前記第１の照明部からの照明光を受けて物品視認者側に出射する光透過性部材からなる表示部を備えた請求項５に記載の自動販売機。
【発明の詳細な説明】
【技術分野】
【０００１】
本発明は、ＬＥＤ等の発光素子を用いた照明装置であり、例えば、缶飲料等の展示用物品（商品見本）を照明する展示用物品の照明装置及びこれを備えた自動販売機に関する。
【背景技術】
【０００２】
照明装置として、従来の蛍光灯を用いたものと共に、近年ではＬＥＤ等の発光素子を用いたものが利用されるようになってきている。ＬＥＤを用いた照明装置は、一般用途としての照明に利用され得るものであるが、ＬＥＤを必要個数だけ装着して種々の形状の照明装置を構成できるので、特に、長尺形状として使用する用途が考えられる。
【０００３】
長尺形状の照明装置として、断面がコ字状で長尺な取付ベースと、この取付ベースの上部に嵌合される蓋部とを有してなり、この蓋部に多数のＬＥＤを配設して構成されるＬＥＤ照明装置がある（例えば特許文献１）。
【０００４】
この構成によれば、ＬＥＤを多数配設して長尺な構成としているので、床面、壁面、あるいは、店舗等での商品等の照明に用いるのに適している。また、ＬＥＤの入力電圧が降下することなくこの照明装置を直列に多数接続して使用することができるように構成されている。
【特許文献１】特開２００５−１９２９９号公報
【発明の開示】
【発明が解決しようとする課題】
【０００５】
しかし、特許文献１の照明装置は、ＬＥＤを多数配設して長尺な照明装置を構成し、必要に応じてこの照明装置を直列に多数接続して使用するように構成されているものである。すなわち、照明装置を長尺にする場合の構成に工夫がされているものではない。
【０００６】
このような照明装置を、例えば、自動販売機の販売用物品のサンプル等を照明する照明装置に使用する場合、横一列の販売用物品のサンプルを一括して照明可能とするには、奥行き等の制限から、２〜３ユニットの照明装置を直列に接続して構成する必要がある。
【０００７】
従って、本発明の目的は、長尺のＬＥＤ照明を分割することなく構成し、かつ、ＬＥＤ照明装置単体でも補強板等を必要としない照明装置及びこれを備えた自動販売機を提供することにある。
【課題を解決するための手段】
【０００８】
［１］本発明は、上記目的を達成するために、複数の発光素子と、前記複数の発光素子が配設される長尺状の基板と、それぞれ異なる所定の長さで形成された複数種類のカバーと、を有し、前記基板の第１の面に、前記複数種類のカバーが所定の配列順序で装着されると共に、前記基板の第１の面の裏面である第２の面に前記複数種類のカバーが前記基板の第１の面での配列順序と異なる配列順序で装着されることを特徴とする照明装置を提供する。
［２］本発明は、上記目的を達成するために、複数の発光素子と、前記複数の発光素子が配設される長尺状の基板と、所定の長さで形成された第１のカバーと、前記第１のカバーと異なる長さで形成された第２のカバーと、を有し、前記基板の第１の面に、前記第１のカバー及び前記第２のカバーが所定の配列順序で装着されると共に、前記基板の第１の面の裏面である第２の面に前記第１のカバー及び前記第２のカバーが、前記基板の第１の面での配列順序と異なる配列順序で装着されることを特徴とする照明装置を提供する。
［３］前記発光素子は、発光ダイオードであることを特徴とする上記［１］または［２］に記載の照明装置であってもよい。
［４］また、前記カバー、前記第１のカバー、または前記第２のカバーは、光透過性部材からなることを特徴とする上記［１］から［３］のいずれか１に記載の照明装置であってもよい。
［５］本発明は、上記目的を達成するために、展示用物品を展示するための内部空間を有し、前記展示用物品に対応する販売用物品を払い出すための物品払出機構を内蔵する販売機本体と、前記販売機本体内に配設され、前記展示用物品を照明する上記［１］から［４］のいずれか１に記載の照明装置と、を備えた自動販売機を提供する。
［６］前記照明装置の前記第１の照明部からの照明光を受けて物品視認者側に出射する光透過性部材からなる押釦を備えた上記［５］に記載の自動販売機であってもよい。
［７］また、照明装置の前記第１の照明部からの照明光を受けて物品視認者側に出射する光透過性部材からなる表示部を備えた上記［５］に記載の自動販売機であってもよい。
【発明の効果】
【０００９】
本発明によると、長尺のＬＥＤ照明を分割することなく構成し、かつ、ＬＥＤ照明装置単体でも補強板等を必要としない照明装置及びこれを備えた自動販売機を提供することができる。
【発明を実施するための最良の形態】
【００１０】
［実施の形態］
【００１１】
図１は、本発明の実施の形態に係る展示用物品の照明装置を備えた自動販売機の全体を示す正面図である。
【００１２】
図２は、本発明の実施の形態に係る展示用物品の照明装置を備えた自動販売機の全体を示すブロック図である。
【００１３】
図３は、本発明の実施の形態に係る展示用物品の照明装置を説明するために示す図であり、（ａ）は、展示スペースの一部分を前面側から見た正面図であり、（ｂ）は、同じく展示スペースを右側面から見た断面図である。
【００１４】
図４Ａ（ｂ）は、本発明の実施の形態に係る展示用物品の照明装置の断面を示す図であり、（ａ）、（ｃ）は、この上平面図及び下平面図である。
【００１５】
図４Ｂは、図４ＡのＡ部の部分拡大図である。
【００１６】
図４Ｃは、図４Ａの側面から見た断面図である。
【００１７】
図５は、本発明の実施の形態に係る展示用物品の照明装置の外観を示す分解斜視図である。
【００１８】
（自動販売機の全体構成）
図１において、自動販売機１は、缶飲料の販売用物品を販売するための販売機本体２と、販売用物品に対応する照明対象としての複数の展示用物品Ｂを照明する照明装置３（図２及び図３に示す）とから大略構成されている。
【００１９】
複数の展示用物品Ｂは、図１に示すように、１０個の展示用物品Ｂが一列に並置された複数（３群）の展示用物品群ｂ１，ｂ２，ｂ３に区分して３段に配置され、後述する背面パネル２２の物品視認者側にステージ２５を介して所定の位置に保持されている。
【００２０】
展示用物品Ｂは、図３（ａ）及び（ｂ）に示すように、販売用物品を示す情報が表面に印刷表示されたプラスチック製の光透過性部材からなる半円筒または円筒によって形成されている。なお、展示用物品Ｂとしては、半円筒または円筒の表面に印刷表示する代わりに、その印刷表示内容と同一の情報が表示されたシールを貼付したものでもよい。販売用物品（容器）が光透過性部材によって形成されている場合には、展示用物品Ｂとして販売用物品を展示してもよい。また、販売用物品には、缶飲料の他に煙草やカップ麺等が用いられる。
【００２１】
（販売機本体２の構成）
販売機本体２は、図２に示すように、外装体としての筐体４と、この筐体４内（貯蔵部）に貯蔵する販売用物品を代金と引き換えに外部に払い出すための物品払出ユニット（物品払出機構）５と、この物品払出ユニット５及び照明装置３を駆動制御する制御ユニット６とを備えている。
【００２２】
（筐体４の構成）
筐体４は、図１に示すように、前方に開口する箱体４Ａ及び箱体４Ａの前方開口部を開閉する扉体４Ｂを有し、全体が略矩形箱によって形成されている。
【００２３】
箱体４Ａ内には、照明装置３、物品払出ユニット５、及び、制御ユニット６等を収容するための収容空間（図示せず）が形成されている。扉体４Ｂは、箱体４Ａに回動自在に枢支されている。
【００２４】
扉体４Ｂの前面上部には、前面上部カバーとしての光透過性部材からなる前面パネル７（電照板）が配設されている。前面パネル７の前面部には、外部に露出する光透過性部材からなる物品選択用の押釦８が複数の展示用物品Ｂに対応して複数個配設されている。前面パネル７と背面パネル２２との間には、展示用物品Ｂを展示するための展示スペース（内部空間）９が形成されている。
【００２５】
扉体４Ｂの前面下部には、購買者が販売用物品の代金としての紙幣・硬貨をそれぞれ挿入・投入するための紙幣挿入口１２・硬貨投入口１３と、釣銭を返却するための釣銭返却口１４と、購買者が販売用物品を取り出すためのフラッパ付きの物品取出口１５（フラッパは図示せず）とが配設されている。また、扉体４Ｂの前面下部には、紙幣挿入口１２・硬貨投入口１３に挿入・投入された紙幣・硬貨を購買者の操作によって返却するための返却レバー１６と、釣銭切れや挿入紙幣・投入硬貨に関する情報を表示するＬＣＤ（Liquid Crystal Display）等の表示器１７と、扉体４Ｂの開動作をロック状態とするためのドアロック１８とが取り付けられている。なお、符号１００は、販売物品等の情報を宣伝するための広告スペースである。
【００２６】
（物品払出ユニット５の構成）
物品払出ユニット５は、図２に示すように、販売用物品を貯蔵する物品貯蔵部（図示せず）を有し、箱体４Ａの収容空間に複数個収容され、かつ制御ユニット６に接続されている。そして、紙幣挿入口１２・硬貨投入口１３に対する紙幣・硬貨の挿入・投入による代金と引き換えに販売用物品を払い出すように構成されている。
【００２７】
（制御ユニット６の構成）
制御ユニット６は、図２に示すように、挿入紙幣及び投入硬貨を処理して貨幣処理信号及び釣銭処理信号を発生する貨幣・釣銭処理装置（図示せず）を有し、物品払出ユニット５と同様に箱体４Ａの収容空間に収容されている。
【００２８】
（照明装置３の構成）
照明装置３は、展示用物品群ｂ１，ｂ２，ｂ３にそれぞれ対応して、長尺状に形成された複数の照明装置３Ａ，３Ｂ，３Ｃ（図３において、照明装置３Ａのみ図示）が展示スペース９内において背面パネル２２の所定の位置に取り付けられ、かつ制御ユニット６に接続されている。複数の照明装置３Ａ，３Ｂ，３Ｃは同一の構成であるため、一の照明装置３Ａのみについて説明する。
【００２９】
照明装置３Ａは、図４Ａ〜Ｃに示すように、長尺状の基板３０、基板３０の第１の面３０ａに装着される発光素子であるＬＥＤ４０、基板３０の第１の面３０ａの裏側の面である第２の面３０ｂに装着される発光素子であるＬＥＤ４１、基板３０の第１の面３０ａ及び第２の面３０ｂに装着される第１のカバー２３、第２のカバー２４、及び、基板３０の第１の面３０ａ上でＬＥＤ４０を囲うように装着されるリフレクトケース２７を有して構成されている。
【００３０】
基板３０は、幅方向よりも長手方向の寸法が大きい長尺状に形成されているが、本実施の形態に係る照明装置では、幅１５ｍｍ、長さ７５０ｍｍ、厚さ２．４ｍｍに形成されている。基板３０の第１の面３０ａ及び第２の面３０ｂ上には、ＬＥＤ４０、４１を実装して配線するための図示しない配線パターンが形成され、また、基板３０は、ＬＥＤ４０、４１に電流を供給し発光制御するためのコネクタ２４あるいはハーネスを有している。尚、基板３０は、長尺状に形成されるので、基板自体の剛性を従来よりも大きく持たせるため、従来一般に用いられている１ｍｍから１．６ｍｍ程度の板厚を２．４ｍｍの板厚で形成している。
【００３１】
基板３０の第１の面３０ａには、展示用物品Ｂの数に対応した数のＬＥＤ４０が実装されている。展示用物品Ｂの数に対応したＬＥＤ４０の個数は、必要な明るさ、照明効果を考慮して設定されるが、本実施の形態に係る照明装置３Ａでは、１０個の展示用物品Ｂからなる展示用物品群ｂ１の展示用物品数及び必要光量等を考慮して、展示用物品Ｂ１個当たり２個として合計２０個とした。尚、ＬＥＤ４０の個数はこれに限られず、また、他の照明装置３Ｂ、３Ｃにおいても、それぞれの展示用物品数及び必要光量等を考慮してＬＥＤ４０の個数をそれぞれ設定することができる。
【００３２】
また、基板３０の第１の面３０ａには、ＬＥＤ４０から出射する光が展示用物品Ｂに効率的に照射されるよう、リフレクトケース２７が取り付けられている。リフレクトケース２７は、ＬＥＤ４０から出射する光が、主に横方向へ無駄に照射されることを抑制するためのものであり、反射効率を上げるためにその表面がミラー面等の高反射率で形成されていてもよい。
【００３３】
リフレクトケース２７は、２つのＬＥＤ４０を収容できる貫通した穴部２７ｃと、２つのＬＥＤ４０をそれぞれ取り囲むように反射面２７ａが形成され、突起部２７ｂが基板３０の位置決め穴部３０ｃに挿入されて仮留めされた状態で、後述する第１のカバー２３と基板３０の間に挟まれることにより固定される。尚、リフレクトケース２７は、ＬＥＤ４０から照射される光を反射する材質であれば使用できるが、特に、不透過で反射性に優れる変性ポリフェニレンオキサイド（変性ＰＰＯ）、変性ポリフェニレンエーテル（変性ＰＰＥ）（ノリル（登録商標））が好ましく使用できる。
【００３４】
基板３０の第２の面３０ｂには、第１の面３０ａに装着されたＬＥＤ４０と逆方向を主に照明するための、ＬＥＤ４１が装着され、特に、背面パネル２２の照明効果を考慮して、所定の個数のＬＥＤ４１が実装されている。ＬＥＤ４１の個数は、背面パネル２２に必要な明るさ、照明効果を考慮して設定されるが、本実施の形態に係る照明装置３Ａでは、１０個とした。尚、ＬＥＤ４１の個数はこれに限られず、また、他の照明装置３Ｂ、３Ｃにおいても、それぞれの照明効果等を考慮してＬＥＤ４１の個数をそれぞれ設定することができる。
【００３５】
尚、基板３０は、制御ユニット６にコネクタ２４等を介して接続されている。
【００３６】
ＬＥＤ４０、４１は、青色ＬＥＤを蛍光体により波長変換して白色を発光可能に構成されている。あるいは、それぞれ互いに異なる色光を発する３種類のＬＥＤ素子（赤色ＬＥＤ素子，緑色ＬＥＤ素子及び青色ＬＥＤ素子）を有するＬＥＤからなり、赤色光，緑色光あるいは青色光のいずれかの単色光を、これら２種の単色光を混合してなる組み合わせの色光を、また３種の単色光を混合してなる白色光をそれぞれ発光可能に構成されている。本実施の形態に係る照明装置３Ａでは、上記の３種類のＬＥＤ素子が封入された面実装チップタイプのＬＥＤを使用したが、これに限られず、また、他の照明装置３Ｂ、３Ｃにおいても、それぞれの照明効果等を考慮して、上記示した以外の入手可能なＬＥＤであれば使用可能である。尚、本実施の形態に係る照明装置では、広視野角のチップタイプのＬＥＤを使用している。
【００３７】
基板３０の第１の面３０ａには、第１のカバー２３と、この第１のカバー２３と異なる長さで形成された第２のカバー２４が、装着されている。
【００３８】
第１のカバー２３は、４個の展示用物品Ｂに対応した長さで形成され、第２のカバー２４は、６個の展示用物品Ｂに対応した長さで形成されており、第１のカバー２３及び第２のカバー２４により、１０個の展示用物品Ｂが一列に並置された展示用物品群（ｂ１、ｂ２、ｂ３）に対応して実装されたＬＥＤ４０の全体を覆うように構成されている。
【００３９】
ここで、第１のカバー２３及び第２のカバー２４は、透光性の材料で形成され、例えば、アルリル等が挙げられる。
【００４０】
また、基板３０の第２の面３０ｂには、第１のカバー２３及び第２のカバー２４が基板３０の第１の面３０ａでの配列順序と異なる配列順序で装着されている。
【００４１】
従って、基板３０の第１の面３０ａと第２の面３０ｂにおいては、第１のカバー２３の端部２３ａと第２のカバー２４の端部２４ｂは、基板３０の長手方向の端部３０ｄ、３０ｅを除いて、一致しない。
【００４２】
第１のカバー２３及び第２のカバー２４は、それぞれ上記示した長さで形成されている必要はなく、他の長さ、例えば、第１のカバー２３が、３個の展示用物品Ｂに対応した長さで形成され、第２のカバー２４が、７個の展示用物品Ｂに対応した長さで形成されていてもよく、その他の長さに形成されていてもよい。また、展示用物品が存在していない両端まで、カバーと基板を伸ばし、ＬＥＤを基板の両端に搭載して隅々まで明るく照らしてもよい。
【００４３】
また、カバーとして、第１のカバー２３及び第２のカバー２４の２種類に限られず、異なる所定の長さで形成された複数種類のカバーによって、基板３０、ＬＥＤ４０、４１等を覆うように構成してもよい。この場合、基板３０の第１の面３０ａに、これらの複数種類のカバーが所定の配列順序で装着されると共に、基板３０の第１の面３０ａの裏面である第２の面３０ｂにこれらの複数種類のカバーが基板３０の第１の面３０ａでの配列順序と異なる配列順序で装着されるようにする。
【００４４】
このような構成では、基板３０の第１の面３０ａと第２の面３０ｂにおいて、複数種類のカバーの端部は、基板３０の長手方向の端部３０ｄ、３０ｅを除いて、一致しないようにできる。
【００４５】
第１のカバー２３及び第２のカバー２４は、図４Ｃに示されるように、互いに爪部２３ｃ、２４ｃが形成され、これらの爪部が互いに係合することにより、基板３０を挟み込んで、基板３０、第１のカバー２３、及び第２のカバー２４が互いに一体となって固定される。
【００４６】
このとき、リフレクトケース２７は、リフレクトケース２７の突起部２７ｂが基板３０の位置決め穴部３０ｃに挿入されて仮留めされた状態で、第１のカバー２３と基板３０の間に挟まれることにより固定されている。また、基板３０は、第１のカバー２３のリブ下端２３ｂと第２のカバー２４のリブ下端２４ｂに挟まれ、第１のカバー２３の爪部２３ｃと第２のカバー２４の爪部２４ｃとが結合して一体的に固定されている。尚、図示はしないが、リフレクトケース２７と共に、ＬＥＤ４０から照射される光を集光あるいは発散させるレンズ、または、ＬＥＤ４０から照射される光を多方向に照射させるローレット板等を一緒に挟み込んで固定されるように構成してもよい。
【００４７】
ベース１９は、展示スペース９内の最後方に配置され、背面パネル２２が所定の位置に取り付けられる基板として機能するように構成されている。
【００４８】
背面パネル２２は、複数の展示用物品群ｂ１，ｂ２，ｂ３のそれぞれに対応した色、柄、形状を有して、ベース１９に取り付けられていてもよく、また、展示用物品群ｂ１，ｂ２，ｂ３の全部又はその一部に対応した色、柄、形状としてベース１９に取り付けられていてもよい。
【００４９】
ステージ２５は、光透過性部材からなり、背面パネル２２に取り付けられ、展示用物品Ｂが所定の個数だけ並べて展示されると共に、展示用物品Ｂに関する情報（価格、温冷等）を表示する表示部２６を有する。
【００５０】
（照明装置３の動作）
各ＬＥＤ４０、４１に電源から電圧が印加されると、各ＬＥＤから照明光（例えば白色光）が放射される。
【００５１】
基板３０の第１の面３０ａ上に実装されたＬＥＤ４０からは、主に、上方向にＬＥＤ光が放射される。放射されたＬＥＤ光は、展示用物品Ｂに下方向から入射し、半円筒または円筒形の展示用物品Ｂ（販売用物品を示す情報が表面に印刷表示された光透過性部材）を透過して物品視認者側に出射されると共に、一部のＬＥＤ光は、透光性の第１のカバー２３または第２のカバー２４を透過して、ステージ２５に取り付けられた表示部２６、及び、前面パネル７に取り付けられた物品選択用の押釦８を透過して物品視認者側に出射される。
【００５２】
また、基板３０の第２の面３０ｂ上に実装されたＬＥＤ４１から放射されるＬＥＤ光は、主に、下方向にＬＥＤ光が放射される。放射されたＬＥＤ光は、背面パネル２２を照射し、そこで反射した光は、前面パネル７（電照板）を透過して物品視認者側に出射されると共に、一部のＬＥＤ光は、透光性の第１のカバー２３または第２のカバー２４を透過して、ステージ２５に取り付けられた表示部２６、及び、前面パネル７に取り付けられた物品選択用の押釦８を透過して物品視認者側に出射される。
【００５３】
上記の照明装置３の動作においては、展示用物品群ｂ１，ｂ２，ｂ３のそれぞれに対応して、照明光の色、強度等を異なるようにすることもでき、また、時間と共に照明光の色、強度等が変化するように制御ユニット６でコントロールすることもできる。また、展示用物品Ｂを各々独立に制御することもできる。
【００５４】
（実施の形態の効果）
以上説明した実施の形態によれば、次に示す効果が得られる。
（１）本実施の形態に係る照明装置では、基板３０を挟んで、互いに異なる長さで形成されたカバーが異なる配列順序で装着されており、カバーと他のカバーとの境界が一致せず、曲げに対して弱い部分をなくすことができるので、長尺状の照明装置であっても、断面形状を小さくでき、かつ、剛性を大きくすることが可能となる。
【００５５】
（２）本実施の形態に係る照明装置では、短い照明装置を連結する必要がないので、連結用のコネクタやハーネス等が不要となり、組立て性が向上すると共に、コストダウンの効果も有する。
【００５６】
（３）長尺状の基板３０を、従来一般に用いられている１ｍｍから１．６ｍｍ程度の板厚を２．４ｍｍの板厚で形成して、基板自体の剛性を従来よりも大きく持たせた構造体としたので、補強部材が不要となり、コストダウンの効果を有する。
【００５７】
（４）基板３０の第１の面３０ａ及び第２の面３０ｂ上に装着されるカバーは、異なる長さで形成された複数種類のカバーであるが、各々、装着する場合の配列順序が異なるだけであり、第１の面３０ａと第２の面３０ｂでは同一のカバーを使用できるので、金型費、部材費、材料費等の低減効果を有する。
【００５８】
（５）本実施の形態に係る照明装置によれば、広視野角のチップタイプのＬＥＤを使用しているので、薄型化に適した照明装置が実現可能となる。
【００５９】
（６）本実施の形態に係る照明装置では、各々のＬＥＤ４０に対応する個別のリフレクトケース２７を装着する構成とし、リフレクトケース２７と基板３０の熱による線膨張の影響をほぼ無視できるので、ＬＥＤ４０の近傍までリフレクトケース２７を寄せて装着でき、反射効率の向上が可能となる。
【００６０】
（７）本実施の形態に係る照明装置によれば、展示用物品Ｂの展示個数、配列間隔等が異なる自動販売機にこの照明装置を適用する場合、カバー、リフレクトケース等を上記展示用物品に対応させて装着することで対応できるので、新たにカバー、リフレクトケース等を設計し製作する必要がないので、設計開発期間の短縮、製造コストの低減等に大きく寄与することが可能となる。
【００６１】
（８）本実施の形態に係る照明装置によれば、展示用物品Ｂの一段分の展示個数に対応した一体的に構成された照明装置が可能となるので、自動販売機への組み立て性に優れると共に、メンテナンス性にも優れるという効果を有する。
【００６２】
（９）本実施の形態に係る照明装置では、照明手段として、ＬＥＤを使用し、ＬＥＤの個数を展示用物品Ｂの数に対応したものにしているので、照明時に制御ユニット６により、照明光の色、強度等を変化させたり、点滅動作をさせたりできる。また、展示用物品群ｂ１，ｂ２，ｂ３のそれぞれに対応して、上記のような照明コントロールができるので、物品視認者の視覚に訴えるイルミネーション効果を持たせることが可能となる。また、展示用物品を３個ないし４個を１ユニットとして交互に制御することもでき、イルミネーション効果と省エネ効果が得られる。
【００６３】
（１０）基板３０の第１の面３０ａ上に実装されたＬＥＤ４０及び第２の面３０ｂ上に実装されたＬＥＤ４１から放射されるＬＥＤ光により、展示用物品Ｂだけではなく、ステージ２５に取り付けられた表示部２６の照明、及び、前面パネル７に取り付けられた物品選択用の押釦８の輪郭照明が可能となるので、押釦８及び表示部２６に専用の照明装置が不要になり、コストの低廉化を図ることが可能となる。
【図面の簡単な説明】
【００６４】
【図１】本発明の実施の形態に係る展示用物品の照明装置を備えた自動販売機の全体を示す正面図である。
【図２】本発明の実施の形態に係る展示用物品の照明装置を備えた自動販売機の全体を示すブロック図である。
【図３】本発明の実施の形態に係る展示用物品の照明装置を説明するために示す図であり、（ａ）は、展示スペースの一部分を前面側から見た正面図であり、（ｂ）は、同じく展示スペースを右側面から見た断面図である。
【図４Ａ】（ｂ）は、本発明の実施の形態に係る展示用物品の照明装置の断面を示す図であり、（ａ）、（ｃ）は、この上平面図及び下平面図である。
【図４Ｂ】図４ＡのＡ部の部分拡大図である。
【図４Ｃ】図４Ａの側面から見た断面図である。
【図５】本発明の実施の形態に係る展示用物品の照明装置の外観を示す分解斜視図である。
【符号の説明】
【００６５】
１…自動販売機
２…販売機本体
３…照明装置
４…筐体
５…物品払出ユニット
６…制御ユニット
７…前面パネル
８…押釦
９…展示スペース
１２…紙幣挿入口
１３…硬貨投入口
１４…釣銭返却口
１５…物品払出口
１６…返却レバー
１７…表示器
１８…ドアロック
１９…ベース
２２…背面パネル
２３…第１のカバー
２４…第２のカバー
２５…ステージ
２６…表示部
２７…リフレクトケース
３０…基板
４０、４１…ＬＥＤ
４２…コネクタ
Ｂ…展示用物品
ｂ１，ｂ２，ｂ３…展示用物品群
【図１】
2008040889.tif 000003
【図２】
2008040889.tif 000004
【図３】
2008040889.tif 000005
【図４Ａ】
2008040889.tif 000006
【図４Ｂ】
2008040889.tif 000007
【図４Ｃ】
2008040889.tif 000008
【図５】
2008040889.tif 000009